(57)【特許請求の範囲】
【請求項１】
電磁接触器又は過負荷継電器のねじ式端子にねじでねじ止めされる導電性金具と、前記導電性金具に弾性力により係合するスプリングとを有するスプリング式端子と、
前記スプリング式端子を保持する保持部材とを備え、
前記保持部材は、前記ねじのねじ頭の穴又は溝に干渉して、前記ねじの回転を抑制する干渉部を備え、
前記保持部材は、前記ねじ頭が圧入される圧入部を有し、
前記圧入部は、前記ねじの軸芯方向の力を、圧入された前記ねじ頭の外周部に加えることを特徴とするスプリング式端子部品。
【請求項２】
前記保持部材は、前記導電性金具が固定される部材と、前記スプリングが前記導電性金具から脱落することを抑制する部材とを有し、
前記干渉部は、前記スプリングが前記導電性金具から脱落することを抑制する部材に設けられていることを特徴とする請求項１に記載のスプリング式端子部品。
【請求項３】
前記干渉部は、該干渉部の一部分が前記ねじ頭の穴又は溝に入り込むことを特徴とする請求項１又は２に記載のスプリング式端子部品。
【請求項４】
前記干渉部は、円柱状であり、端面が前記ねじ頭の穴又は溝に干渉することを特徴とする請求項１から３のいずれか１項に記載のスプリング式端子部品。
【請求項５】
前記ねじ頭の穴又は溝は、内部に凹部が形成されており、
前記干渉部は、該干渉部の一部分が前記凹部に入り込むことを特徴とする請求項１又は２に記載のスプリング式端子部品。
【請求項６】
電磁接触器又は過負荷継電器のねじ式端子にねじでねじ止めされる導電性金具と、前記導電性金具に弾性力により係合するスプリングとを有するスプリング式端子と、
前記スプリング式端子を保持する保持部材とを備え、
前記保持部材は、前記ねじのねじ頭が圧入される圧入部を有し、
前記圧入部は、前記ねじの軸芯方向の力を、圧入された前記ねじ頭の外周部に加えることを特徴とするスプリング式端子部品。
【請求項７】
前記圧入部は、前記ねじ頭の外周部に、前記ねじの軸の軸回りの方向に隙間を開けて部分的に接することを特徴とする請求項１から６のいずれか１項に記載のスプリング式端子部品。
【請求項８】
請求項１から７のいずれか１項に記載のスプリング式端子部品がねじ式端子に取り付けられたことを特徴とする電磁接触器。
【請求項９】
ねじ式端子を備えた過負荷継電器と、
請求項１から７のいずれか１項に記載のスプリング式端子部品がねじ式端子に取り付けられたことを特徴とする過負荷継電器。
【発明の詳細な説明】
【技術分野】
【０００１】
本開示は、電線の導体部をスプリングの圧力で挟んで導通を確保するスプリング式端子を備えたスプリング式端子部品と、これが取り付けられた電磁接触器及び過負荷継電器とに関する。
【背景技術】
【０００２】
電磁接触器及び過負荷継電器並びに電磁接触器と過負荷継電器とを組み合わせた電磁開閉器は、電源と負荷との間の電流路に設置され、電流路の開閉を行うために用いられる。【０００３】
電磁接触器、過負荷継電器及び電磁開閉器において、電線を固定する端子には、被覆を剥いだ電線の端部をねじで挟むねじ式端子が用いられていたが、被覆を剥いだ電線の端部をスプリングの圧力で挟むスプリング式端子も用いられるようになってきている。【０００４】
スプリング式端子は、固定された導電性金具とスプリングとの間に電線の導体部を挟み、電線の導体部と導電性金具との間の導通を確保する端子である。スプリング式端子は、スプリングの作用によって常時接圧が確保されている。このため、スプリング式端子は、ねじ式端子とは違い配線時にスキルを必要とせず、電線の導体部を導電性金具とスプリングとの間に挿入する作業を誰が行っても、導通状態が安定している。また、スプリング式端子は、配線後時間が経過しても緩みがないため、ねじ式端子と比較してメンテナンスの作業を軽減できる。【０００５】
スプリング式端子は、ねじ式端子と比べて上記の利点を持つが、ねじ式端子の電磁接触器、過負荷継電器又は電磁開閉器を使用することが法令又は安全規格で定められている場合には、配線作業性及びメンテナンスの頻度では不利であってもねじ式端子のものを使用しなければならない。したがって、電磁接触器、過負荷継電器及び電磁開閉器は、ねじ式端子のものとスプリング式端子のものとの両方を製造する必要がある。しかし、旧来の電磁接触器、過負荷継電器及び電磁開閉器の製造設備は、ねじ式端子用に特化されているため、旧来の製造設備をそのまま使用してスプリング式端子の電磁接触器、過負荷継電器及び電磁開閉器を製造することは困難である。【０００６】
このため、スプリング式端子を備えたスプリング式端子部品をねじ式端子の電磁接触器、過負荷継電器又は電磁開閉器に取り付けることで、配線作業性の向上及びメンテナンスの作業を軽減させることが試みられている。スプリング式端子部品は、電磁接触器、過負荷継電器又は電磁開閉器のねじ式端子にねじ止めされるが、スプリング式端子部品をねじ式端子に固定するねじが緩んでしまうと、端子部でねじの緩みが生じないというスプリング式の利点が損なわれてしまう。したがって、スプリング式端子部品をねじ式端子に固定するねじが緩まないようにすることが求められている。【０００７】
特許文献１には、任意の位置で締め付け停止したねじにねじ締め回転方向へのトルクをかけ続ける構造が開示されている。特許文献１に開示される技術のようにねじを固定するための専用の部品を設ければ、スプリング式端子部品を固定するねじが緩むことは防止できる。
【先行技術文献】
【特許文献】
【０００８】
【特許文献１】特開平１１−３３６７３０号公報
【発明の概要】
【発明が解決しようとする課題】
【０００９】
しかしながら、上記特許文献１に開示される技術をスプリング式端子部品に適用すると、スプリング式端子部品を取り付ける対象物のねじ式端子のねじの緩みを防止するために専用の要素を追加する必要があり、部品点数が増加してしまう。【００１０】
本開示は、上記に鑑みてなされたものであって、部品点数を増やすことなく、取り付け対象物のねじ式端子のねじの緩みを防止できるスプリング式端子部品を得ることを目的とする。
【課題を解決するための手段】
【００１１】
上述した課題を解決し、目的を達成するために、本開示に係るスプリング式端子部品は、電磁接触器又は過負荷継電器のねじ式端子にねじでねじ止めされる導電性金具と、導電性金具に弾性力により係合するスプリングとを有するスプリング式端子と、スプリング式端子を保持する保持部材とを備える。保持部材は、ねじのねじ頭の穴又は溝に干渉して、ねじの回転を抑制する干渉部を備える。
【発明の効果】
【００１２】
本開示に係るスプリング式端子部品は、部品点数を増やすことなく、取り付け対象物のねじ式端子のねじの緩みを防止できるという効果を奏する。
【図面の簡単な説明】
【００１３】
【図１】実施の形態１に係る電磁開閉器の正面図
【図２】実施の形態１に係る電磁開閉器の左側面図
【図３】実施の形態１に係る電磁開閉器の斜視図
【図４】実施の形態１に係るスプリング式端子部品の分解図
【図５】実施の形態１に係るスプリング式端子部品の断面図
【図６】実施の形態１に係るスプリング式端子部品の電線受け組立部品と過負荷継電器のねじ式端子のねじとを示す斜視図
【図７】実施の形態１に係るスプリング式端子部品の干渉部とプラスマイナス穴との干渉状態を示す図
【図８】実施の形態１に係るスプリング式端子部品の干渉部とプラスマイナス穴との干渉状態を示す図
【図９】実施の形態２に係るスプリング式端子部品の電線受け部材の干渉部の形状を示す斜視図
【図１０】実施の形態２に係るスプリング式端子部品の電線受け部材の干渉部の形状を示す平面図
【図１１】実施の形態３に係るスプリング式端子部品の電線受け部材の干渉部の形状を示す斜視図
【図１２】実施の形態３に係るスプリング式端子部品の電線受け部材の干渉部の形状を示す平面図
【図１３】実施の形態４に係るスプリング式端子部品の断面図
【図１４】実施の形態５に係るスプリング式端子部品の断面模式図
【発明を実施するための形態】
【００１４】
以下に、実施の形態に係るスプリング式端子部品、電磁接触器及び過負荷継電器を図面に基づいて詳細に説明する。
【００１５】
実施の形態１．
図１は、実施の形態１に係る電磁開閉器の正面図である。図２は、実施の形態１に係る電磁開閉器の左側面図である。図３は、実施の形態１に係る電磁開閉器の斜視図である。電磁開閉器３は、電磁接触器１と、過負荷継電器２と、スプリング式端子部品２４とを備える。電磁接触器１は、電源側の電線挿入口４と、負荷側の電線挿入口５と、電磁接触器１の駆動用の電線挿入口６とを備える。電源側の電線挿入口４及び負荷側の電線挿入口５は、各々五つの端子を備えており、五つの端子のうち三つは負荷機器への電流を開閉するための主回路となり、二つは信号線を配線するための補助回路となる。製品によっては五つの端子のうち四つが負荷機器への電流を開閉するための主回路となり、一つが信号線を配線するための補助回路となる場合もある。
【００１６】
過負荷継電器２は不図示の負荷機器の負荷状況を監視する装置である。負荷機器の例には、電動誘導機を挙げることができる。過負荷継電器２は負荷機器の負荷状況を電流によって監視し、設定された電流値を超えた場合には規定時間内に信号を発する機器である。過負荷継電器２から発せられた信号を受けた電磁接触器１又はその他の機器は、負荷機器への電流を遮断して負荷機器を焼損等から保護する。
【００１７】
スプリング式端子部品２４は、負荷機器へ接続される電線用の電線挿入口８を三つ備え、信号線用の電線挿入口７を四つ備えている。四つの信号線用の電線挿入口７のうち二つはａ接点用であり、他の二つはｂ接点用である。電線挿入口４、電線挿入口５及び電線挿入口６は、正面視では同じ形状である。電線挿入口７及び電線挿入口８の正面視での形状は、電線挿入口４、電線挿入口５及び電線挿入口６に存在した側面の平面状の部分がなく、円を二つ左右から押し当てたような形状となっている。
【００１８】
図４は、実施の形態１に係るスプリング式端子部品の分解図である。図５は、実施の形態１に係るスプリング式端子部品の断面図である。図５は、図１中のV-V線に沿った断面を示している。
【００１９】
スプリング式端子部品２４が取り付けられる過負荷継電器２は、負荷機器へ接続される電線が接続されるねじ式端子１７と、信号線の電線が接続されるねじ式端子１６とを有する。ねじ式端子１６は、電線を固定するねじ１４を備えている。ねじ式端子１７は、電線を固定するねじ１５を備えている。
【００２０】
スプリング式端子部品２４は、スプリング式端子１１，２１を保持する保持部材である電線受け組立部品２５，２６及び挿入口部材１２を有する。電線受け組立部品２５は、電線受け部材２０及びスプリング式端子２１を有する。スプリング式端子２１は、導電性金具９ａと、弾性力によって導電性金具９ａに係合したスプリング１０ａとを有する。導電性金具９ａは、電線受け部材２０に保持されている。スプリング式端子２１は、電線受け固定された導電性金具９ａと可動するスプリング１０ａとの間に電線の導体部を挟み、電線の導体部と導電性金具９ａとの間の導通を確保する。スプリング式端子２１は、被覆を剥いた電線をスプリング１０ａで直接挟んで配線可能な構造となっている。スプリング式端子２１は、電線挿入口８の奥に設置されている。電線挿入口８の奥に設置されたスプリング式端子２１は、常時接圧が確保されている。
【００２１】
電線受け組立部品２６は、電線受け部材１９及びスプリング式端子１１を有する。スプリング式端子１１は、導電性金具９ｂと、弾性力によって導電性金具９ｂに係合したスプリング１０ｂとを有する。導電性金具９ｂは、電線受け部材１９に保持されている。スプリング式端子１１は、電線受け固定された導電性金具９ｂと可動するスプリング１０ｂとの間に電線の導体部を挟み、電線の導体部と導電性金具９ｂとの間の導通を確保する。スプリング式端子１１は、被覆を剥いた電線をスプリング１０ｂで直接挟んで配線可能な構造となっている。スプリング式端子１１は、電線挿入口７の奥に設置されている。電線挿入口７の奥に設置されたスプリング式端子１１は、常時接圧が確保されている。
【００２２】
電線挿入口７，８には、筒状部１２ａを有する挿入口部材１２が設置されており、筒状部１２ａに電線の端部を挿入すると、導電性金具９ａとスプリング１０ａとの間、又は導電性金具９ｂとスプリング１０ｂとの間に電線の端部が案内されるようになっている。
【００２３】
電線受け部材１９は、ねじ１５のねじ頭が圧入される圧入部１８と、ねじ１５のねじ頭の穴又は溝と干渉する干渉部２２を備えている。圧入部１８は、圧入されたねじ１５のねじ頭に外周側から圧力を加える。図６は、実施の形態１に係るスプリング式端子部品の電線受け組立部品と過負荷継電器のねじ式端子のねじとを示す斜視図である。実施の形態１において、ねじ１５のねじ頭には、プラスマイナス穴１５ａが形成されている。なお、ねじ頭の穴又は溝には、三角穴、六角穴及びマイナス溝を例示できるが、ねじ頭の穴又は溝は、これら以外の形状であってもよい。圧入部１８は、ねじ１５のねじ頭の直径よりも小さい内径を持つ円筒面を円周方向に間隔を開けて分割した形状である。すなわち、圧入部１８は、ねじ１５の外周の一部に接する形状である。圧入部１８は、中心となる軸を持つ形状である。圧入部１８は、ねじ１５のねじ頭が圧入されると、ねじ頭に軸芯方向の力を加える。圧入部１８がねじ１５のねじ頭の外周の一部に接する形状であることにより、ねじ１５が圧入部１８に圧入されやすくなる。なお、圧入部１８は、ねじ１５のねじ頭の直径よりも小さい内径を持つ円筒状であってもよい。すなわち、圧入部１８は、ねじ１５のねじ頭の外周の全周にわたって接する形状であってもよい。なお、図５には、ねじ１５の軸方向と圧入部１８の軸方向とが角度をなす構造を示したが、ねじ１５の軸方向と圧入部１８の軸方向との角度は特定の角度に限定されない。また、ねじ１５の軸方向と圧入部１８の軸方向とが一致していてもよい。
【００２４】
干渉部２２は、電線受け組立部品２６を過負荷継電器２に組み付けた際に、ねじ１５のプラスマイナス穴１５ａと干渉する。図７及び図８は、実施の形態１に係るスプリング式端子部品の干渉部とプラスマイナス穴との干渉状態を示す図である。なお、図７と図８とでは、ねじ１５の締め付け角度が異なっている。図７及び図８においては、干渉部２２のうち、ねじ１５のねじ頭のプラスマイナス穴１５ａに入り込んでいる部分を網掛けで示している。干渉部２２がねじ１５のねじ頭へ押し付けられることにより、樹脂製の干渉部２２がプラスマイナス穴１５ａに倣って変形し、プラスマイナス穴１５ａに入り込む。干渉部２２がプラスマイナス穴１５ａに入り込むことにより、ねじ１５の回転が妨げられ、緩みが防止される。
【００２５】
干渉部２２は、板状の突起形状となっており、干渉部２２の厚さは、プラスマイナス穴１５ａの幅よりも厚くなっている。したがって、図７及び図８に示すように、干渉部２２は、ねじ１５の締め付け角度によらず、プラスマイナス穴１５ａと干渉する。
【００２６】
挿入口部材１２には、電線を挿入又は取り外しするための工具挿入口１３が設けられている。スプリング式端子部品２４は、工具挿入口１３に操作工具を挿入してスプリング１０ａ，１０ｂによる接圧を解除又は緩和した上で、電線の挿入又は取り外しが行われる。また、図５に示すように、挿入口部材１２は、ねじ１４のねじ頭の穴又は溝と干渉する干渉部２３を備えている。実施の形態１において、ねじ１４のねじ頭には、プラスマイナス穴１４ａが形成されている。干渉部２３は、干渉部２２と同様に板状の突起形状である。したがって、干渉部２３とねじ１４のねじ頭の穴又は溝との干渉は、干渉部２２とねじ１５のねじ頭の穴又は溝との干渉と同様である。
【００２７】
スプリング式端子部品２４を過負荷継電器２へ取り付ける手順を説明する。まず、電線受け部材２０と四つのスプリング式端子２１とが一体化された電線受け組立部品２５を過負荷継電器２に組み付け、導電性金具９ａをねじ１５でねじ式端子１７に締め付けて固定する。
【００２８】
次に、電線受け部材１９と三つのスプリング式端子１１とが一体化された電線受け組立部品２６を電線受け組立部品２５に嵌合するように組み付け、導電性金具９ｂをねじ１４でねじ式端子１６に締め付けて固定する。電線受け組立部品２６を電線受け組立部品２５に嵌合させる際、ねじ１５が電線受け部材１９の圧入部１８に圧入される。圧入部１８は、圧入されたねじ１５に軸芯方向への圧力を加える。これにより、ねじ１５は、回転を妨げられ、緩みが防止される。また、電線受け組立部品２６を過負荷継電器２に組み付けた際に、干渉部２２は、ねじ１５のプラスマイナス穴１５ａに干渉する。これにより、ねじ１５は、回転が妨げられ、緩みが防止される。
【００２９】
圧入部１８の干渉幅及び干渉部２２の干渉寸法は、圧入部１８及び干渉部２２の材料となる樹脂の硬さに合わせて適宜変更できる。
【００３０】
次に、挿入口部材１２を電線受け組立部品２６に組み付けることにより、ねじ式端子１６，１７を有する過負荷継電器２へのスプリング式端子部品２４の取り付けが完了する。挿入口部材１２が電線受け組立部品２６に固定されると、スプリング式端子２１，１１の一部であるスプリング１０ａ，１０ｂが挿入口部材１２によって保持され、スプリング１０ａ，１０ｂが導電性金具９ａ，９ｂから脱落することが防止される。
【００３１】
干渉部２３は、スプリング式端子１１，２１を保持する保持部材である挿入口部材１２を組み付けた際に、プラスマイナス穴１４ａに干渉する。これにより、ねじ１４は、回転が妨げられ、緩みが防止される。
【００３２】
実施の形態１に係るスプリング式端子部品２４は、スプリング式端子２１，１１を保持する保持部材である電線受け部材１９及び挿入口部材１２によってねじ１４，１５の緩みを防止するため、部品点数の増加を抑えつつ、ねじ式端子１６，１７のねじ１４，１５の緩みを防止できる。また、ねじの緩みを防止するために、ねじ山に接着剤を塗布するといった工程を追加する必要がないため、スプリング式端子部品２４を過負荷継電器２に取り付ける作業を容易に行うことでできる。
【００３３】
実施の形態２．
実施の形態２に係るスプリング式端子部品２４は、電線受け部材１９，２０が干渉部２２，２３の代わりに干渉部２７を有することを除いて、実施の形態１に係るスプリング式端子部品２４と同様である。図９は、実施の形態２に係るスプリング式端子部品の電線受け部材の干渉部の形状を示す斜視図である。図１０は、実施の形態２に係るスプリング式端子部品の電線受け部材の干渉部の形状を示す平面図である。実施の形態２に係るスプリング式端子部品２４の干渉部２７は、円柱状である。干渉部２７の直径は、プラスマイナス穴１５ａの中央部の面取りされた部分での幅よりも小さくなっている。また、プラスマイナス穴１５ａの内部には、プラスドライバーの先端部が嵌合する十字形状の凹部１５ｂが形成されている。したがって、干渉部２７は、プラスマイナス穴１５ａの中央部に嵌まり、プラスマイナス穴１５ａの内部において凹部１５ｂに干渉し、先端部が凹部１５ｂに入り込む。干渉部２７の先端部が凹部１５ｂに入り込むことにより、ねじ１５は回転が妨げられ、緩みが防止される。ここでは、電線受け部材１９の干渉部２７がねじ１５の緩みを防止する効果について説明したが、挿入口部材１２の干渉部２７がねじ１４の緩みを防止する効果についても同様である。
【００３４】
実施の形態２に係るスプリング式端子部品２４は、干渉部２７が円柱状であるため、干渉部２７がねじ１４，１５の回転を抑制する力は、ねじ１４，１５の回転角度によらず一定となる。すなわち、実施の形態２に係るスプリング式端子部品２４は、ねじ１４，１５の回転を抑制する効果を安定して得ることができる。
【００３５】
実施の形態３．
実施の形態３に係るスプリング式端子部品２４は、電線受け部材１９，２０が干渉部２２，２３の代わりに干渉部２８を有することを除いて、実施の形態１に係るスプリング式端子部品２４と同様である。図１１は、実施の形態３に係るスプリング式端子部品の電線受け部材の干渉部の形状を示す斜視図である。図１２は、実施の形態３に係るスプリング式端子部品の電線受け部材の干渉部の形状を示す平面図である。実施の形態３に係るスプリング式端子部品２４の干渉部２８は、円柱状である。干渉部２８の直径は、プラスマイナス穴１５ａの中央部の面取りされた部分での幅よりも大きくなっている。したがって、干渉部２８は、ねじ１５のねじ頭の表面に当たり、先端部がプラスマイナス穴１５ａに干渉し、プラスマイナス穴１５ａに入り込む。干渉部２８の先端部がプラスマイナス穴１５ａに入り込むことにより、ねじ１５は回転が妨げられ、緩みが防止される。ここでは、電線受け部材１９の干渉部２８がねじ１５の緩みを防止する効果について説明したが、挿入口部材１２の干渉部２８がねじ１４の緩みを防止する効果についても同様である。
【００３６】
実施の形態３に係るスプリング式端子部品２４は、干渉部２８が円柱状であるため、干渉部２８がねじ１４，１５の回転を抑制する力は、ねじ１４，１５の回転角度によらず一定となる。すなわち、実施の形態２に係るスプリング式端子部品２４は、ねじ１４，１５の回転を抑制する効果を安定して得ることができる。
【００３７】
実施の形態４．
図１３は、実施の形態４に係るスプリング式端子部品の断面図である。実施の形態４に係るスプリング式端子部品２４は、電線受け部材１９が干渉部を備えない点で実施の形態１に係るスプリング式端子部品２４と相違する。なお、図１３は、図１中のXIII-XIII線に相当する位置でのスプリング式端子部品２４の断面を示している。図１中のXIII-XIII線が通る位置は、電線挿入口８が無いため、電線受け組立部品２５はこの部分には存在しておらず、電線受け組立部品２６及び挿入口部材１２だけが存在している。
【００３８】
実施の形態４に係るスプリング式端子部品２４は、電線受け部材１９が干渉部を備えないため、電線受け部材１９を作る金型を簡略化できる。
【００３９】
実施の形態５．
図１４は、実施の形態５に係るスプリング式端子部品の断面模式図である。実施の形態５に係るスプリング式端子部品３０は、カバー部材３２と、電磁接触器１のねじ式端子の接触子１ｂに電気的に接続されるスプリング式端子３１とを有する。スプリング式端子３１は、導電性金具９ｃ及びスプリング１０ｃを有する。スプリング式端子３１のうち、導電性金具９ｃがねじ３３で接触子１ｂに固定される。カバー部材３２は、ねじ３３が圧入される圧入部３４と、ねじ３３に干渉する干渉部３５と、スプリング式端子３１に電線を導く電線挿入口３２ａとを備えている。カバー部材３２は、不図示の凹凸嵌合によって電磁接触器１のケース１ａに固定される。
【００４０】
カバー部材３２が電磁接触器１のケース１ａに固定されると、スプリング式端子３１がカバー部材３２によって保持され、スプリング式端子３１の一部であるスプリング１０ｃが導電性金具９ｃから脱落することが防止される。
【００４１】
干渉部３５及び圧入部３４がねじ３３の緩みを防止する効果は、上記の各実施の形態と同様である。
【００４２】
実施の形態５に係るスプリング式端子部品３０は、スプリング式端子３１を保持するカバー部材３２によってねじ３３の緩みを防止するため、部品点数の増加を抑えつつ、電磁接触器１のねじ式端子のねじ３３の緩みを防止できる。
【００４３】
以上の実施の形態に示した構成は、内容の一例を示すものであり、別の公知の技術と組み合わせることも可能であるし、要旨を逸脱しない範囲で、構成の一部を省略、変更することも可能である。
【符号の説明】
【００４４】
１  電磁接触器、１ａ  ケース、１ｂ  接触子、２  過負荷継電器、３  電磁開閉器、４，５，６，７，８，３２ａ  電線挿入口、９ａ，９ｂ，９ｃ  導電性金具、１０ａ，１０ｂ，１０ｃ  スプリング、１１，２１，３１  スプリング式端子、１２  挿入口部材、１２ａ  筒状部、１３  工具挿入口、１４，１５，３３  ねじ、１４ａ，１５ａ  プラスマイナス穴、１５ｂ  凹部、１６，１７  ねじ式端子、１８，３４  圧入部、１９，２０  電線受け部材、２２，２３，２７，２８，３５  干渉部、２４，３０  スプリング式端子部品、２５，２６  電線受け組立部品、３２  カバー部材。
【要約】
スプリング式端子部品（２４）は、電磁接触器又は過負荷継電器のねじ式端子にねじ（１５，１４）でねじ止めされる導電性金具（９ａ，９ｂ）と、導電性金具（９ａ，９ｂ）に弾性力により係合するスプリング（１０ａ，１０ｂ）とを有するスプリング式端子（１１，２１）と、スプリング式端子（１１，２１）を保持する電線受け部材（１９，２０）及び挿入口部材（１２）とを備え、電線受け部材（１９）及び挿入口部材（１２）は、ねじ（１５，１４）のねじ頭の穴又は溝に干渉して、ねじ（１５，１４）の回転を抑制する干渉部（２２，２３）を備える。【図１】
0006824490.tif 000002
【図２】
0006824490.tif 000003
【図３】
0006824490.tif 000004
【図４】
0006824490.tif 000005
【図５】
0006824490.tif 000006
【図６】
0006824490.tif 000007
【図７】
0006824490.tif 000008
【図８】
0006824490.tif 000009
【図９】
0006824490.tif 000010
【図１０】
0006824490.tif 000011
【図１１】
0006824490.tif 000012
【図１２】
0006824490.tif 000013
【図１３】
0006824490.tif 000014
【図１４】
0006824490.tif 000015